(57)【特許請求の範囲】
【請求項１】
移動端局と接続される回線交換網を有し、さらに、インターネット内のストリーミングビデオサーバから前記移動端局へのストリーミングビデオコンテンツの送信のために、一方の側で回線交換網に接続され、他方の側でインターネットに接続されたゲートウェイを有し、前記ゲートウェイは、前記ストリーミングビデオサーバから受信されるインターネットで互換性のあるストリーミングビデオフォーマットのファイルを回線交換網を介して移動端局に送信されるフォーマットのストリーミングビデオビットストリームに変換するように構成した電気通信システムにおいて、
前記電気通信システムは、登録手段を有し、この登録手段はパケット交換網を介して前記移動端局に接続され、前記登録手段は、移動端局ごとに、前記回線交換網の移動端局のノードアドレスにリンクする端局識別子を登録するように構成され、
前記パケット交換網は、前記移動端局を前記インターネットに接続するように構成したことを特徴とする電気通信システム。
【請求項２】
前記移動端局及び前記ゲートウェイが、移動端局間のテレビ会議用のプロトコルに準拠して、ビデオビットストリームを交換することを特徴とする請求項１に記載の電気通信システム。
【請求項３】
前記テレビ会議用のプロトコルがＩＴＵ  Ｈ．３２４プロトコルであることを特徴とする請求項２に記載の電気通信システム。
【請求項４】
前記ストリーミングビデオサーバからのストリーミングビデオコンテンツを要求した移動端局の端局識別子に従って、前記登録手段で前記回線交換網のノードアドレスを検索する手段と、
回線交換網を介して、ストリーミングビデオコンテンツを要求した前記移動端局と前記ゲートウェイとの間の接続をセットアップする手段と、
前記ゲートウェイにより変換された前記ストリーミングビデオコンテンツを、ストリーミングビデオコンテンツを要求した前記移動端局に送信する手段と、
を有することを特徴とする請求項１に記載の電気通信システム。
【請求項５】
前記ゲートウェイが、回線交換網を介して、当該ゲートウェイとストリーミングビデオコンテンツを要求した移動端局間の接続をセットアップし、前記ゲートウェイが、前記登録手段で検索されたノードアドレスの移動端局に呼を発信することを特徴とする請求項４に記載の電気通信システム。
【請求項６】
前記移動端局が、回線交換網を介して、前記ゲートウェイとストリーミングビデオコンテンツを要求した前記移動端局間の接続をセットアップし、前記移動端局が前記ゲートウェイに呼を発信し、前記ゲートウェイが、発呼した移動端局のノードアドレスと前記登録手段で検索されたノードアドレスとを比較することにより、前記発呼した移動端局が正しい移動端局であるかどうかを調べるように構成したことを特徴とする請求項４に記載の電気通信システム。
【請求項７】
移動端局と接続される回線交換網を有する電気通信システムにおいて、インターネット内のストリーミングビデオサーバから前記移動端局へストリーミングビデオコンテンツを送信する方法であって、
前記ストリーミングビデオサーバから受信されるインターネットで互換性のあるストリーミングビデオフォーマットのファイルを、前記回線交換網を経由して移動端局に送信されるフォーマットのストリーミングビデオビットストリームに変換するステップと、
各移動端局毎に、前記回線交換網での前記移動端局のノードアドレスにリンクする端局識別子を登録手段に登録するステップとからなり、
前記登録手段は、パケット交換網を介して前記移動端局に接続されるように構成され、
前記パケット交換網は、前記移動端局を前記インターネットに接続するように構成したことを特徴とする方法。
【請求項８】
前記回線交換網を介してストリーミングビデオストリームを前記移動端局に送信するフォーマットが、移動端局間のテレビ会議用のプロトコルに準拠していることを特徴とする請求項７に記載の方法。
【請求項９】
前記テレビ会議用のプロトコルがＩＴＵ  Ｈ．３２４Ｍプロトコルであることを特徴とする請求項８に記載の方法。
【請求項１０】
前記ストリーミングビデオサーバからのストリーミングビデオコンテンツを要求した移動端局の端局識別子に従って、回線交換網のノードアドレスを検索するステップと、
ストリーミングビデオコンテンツを要求した移動端局への回線交換網を経由する接続をセットアップするステップと、
ストリーミングビデオコンテンツを前記移動端局に送信するステップと、
を含むことを特徴とする請求項７に記載の方法。
【請求項１１】
一方の側で回線交換電気通信網に、他方の側でインターネットに接続されるゲートウェイにおいて、
前記回線交換電気通信網と移動端局とが接続され、
前記ゲートウェイは、前記インターネット内のストリーミングビデオサーバから前記移動端局へストリーミングビデオコンテンツを送信すると共に、前記ストリーミングビデオサーバから受信されるインターネットで互換性のあるストリーミングビデオフォーマットのファイルを、回線交換網を介して移動端局に送信するフォーマットのストリーミングビデオビットストリームに変換し、
前記ゲートウェイは、登録手段に接続され、この登録手段はパケット交換網を介して前記移動端局に接続され、前記登録手段は、移動端局ごとに、前記回線交換網の移動端局のノードアドレスにリンクする端局識別子を登録するように構成され、
前記パケット交換網は、前記移動端局を前記インターネットに接続するように構成したことを特徴とするゲートウェイ。
【請求項１２】
移動端局間のテレビ会議用のプロトコルに準拠して、ビデオビットストリームを交換することを特徴とする請求項１１に記載のゲートウェイ。
【請求項１３】
前記テレビ会議用のプロトコルがＩＴＵ  Ｈ．３２４プロトコルであることを特徴とする請求項１２に記載のゲートウェイ。
【請求項１４】
回線交換電気通信網を介してゲートウェイに接続される移動端局であって、
前記ゲートウェイは、一方の側で前記回線交換電気通信網に接続され、他方の側でインターネットに接続されて、インターネット内のストリーミングビデオサーバから前記移動端局へストリーミングビデオコンテンツを送信すると共に、前記ストリーミングビデオサーバから受信されるインターネットで互換性のあるストリーミングビデオフォーマットのファイルを、回線交換電気網を介して移動端局に送信するフォーマットのストリーミングビデオビットストリームに変換し、
前記移動端局は、パケット交換網を介して登録手段に接続され、前記登録手段は、移動端局ごとに、前記回線交換網の移動端局のノードアドレスにリンクする端局識別子を登録するように構成され、
前記パケット交換網は、前記移動端局を前記インターネットに接続するように構成したことを特徴とする移動端局。
【請求項１５】
移動端局間のテレビ会議用のプロトコルに準拠して、ビデオビットストリームを交換することを特徴とする請求項１４に記載の移動端局。
【請求項１６】
前記テレビ会議用のプロトコルがＩＴＵ  Ｈ．３２４Ｍプロトコルであることを特徴とする請求項１５に記載の移動端局。
【発明の詳細な説明】
【０００１】
【発明の属する技術分野】
本発明は、インターネット内のストリーミングビデオサーバから移動端局にストリーミングビデオコンテンツを送信するシステム及び方法に関わる。本発明は、ストリーミングビデオコンテンツの移動端局への送信に使用されるゲートウェイも指す。
【０００２】
【従来の技術】
ゆっくりとした標準化プロセスのために、第１のＵＭＴＳ端局は、パケット交換ビデオと音声ストリーミングの標準化された解決策を含まないだろう。現時点で、既知のベンダがＵＭＴＳとＧＰＲＳ両方のストリーミングサービス用の独自に開発したプラットホームを提供している。これらの独自に開発されたプラットホームに対する投資は、将来規格に向けた更新が必要とされるためカスタマをがんじがらめにする。
【０００３】
【発明が解決しようとする課題】
本発明の目的は、インターネット内のストリーミングビデオサーバから移動端局へのストリーミングビデオコンテンツの送信のために、一方の側で回線交換網に接続され、他方の側でインターネットに接続される、前記インターネットストリーミングビデオサーバから受信されるインターネットで互換性のあるストリーミングビデオフォーマットのファイルを、回線交換網を介して移動端局に送信されるのに適したフォーマットのストリーミングビデオビットストリームに変換するのに適したゲートウェイを有する電気通信システムを提示することである。
【０００４】
【課題を解決するための手段】
現在では、移動端局とこのような変換ゲートウェイを通信させるための標準的なプロトコルがないため、好ましいオプションとして、移動端局の間のテレビ会議用に標準化されたプロトコルが利用されてよい。このようなテレビ会議プロトコルは、テレビ会議がイネーブルされた移動電話を備えた二人またはそれ以上のユーザが互いにテレビ会議を行うことができるアーキテクチャで使用されるために意図され、開発されていることに注意する。インターネットサーバまたはクライアントから移動端局へストリーミングビデオコンテンツをダウンロードするためにこのようなテレビ会議プロトコルを使用できるために、移動端局と回線交換網の側にあるゲートウェイは、好ましくは、電話対電話のテレビ電話用の関連するプロトコルに準拠してビデオビットストリームを交換するのに適している。ＩＴＵ  Ｈ．３２４Ｍテレビ会議プロトコルは意図されている目的のために非常に適している。
【０００５】
本発明のある態様とは、電話対電話のテレビ会議用に標準化されているプロトコルを、インターネットコンテンツサービスにより発信されるストリーミングビデオコンテンツの移動端局へのダウンロードのイネーブルのために使用することであり、きわめて異なった技術分野にある。ゲートウェイ内での変換のために回線交換網を介してストリーミングファイルが宛てられなければならない移動端局のアドレスを管理できるためには、システムは、好ましくは、例えば前記パケット交換網を介して前記移動端局と接続され、関連する移動端局ごとに、回線交換網の移動端局のノードアドレスにリンクされている（好ましくは固有の）端子識別子を登録するのに適している登録手段を有する。
【０００６】
特定のコンテンツをコンテンツサービスから要求すると、端局は、要求されたコンテンツを――回線交換網を介して――要求側移動端局の正しい回線交換網アドレス（接続側ノード）に向けるために使用されてよい、その要求に添付されるその端局識別子を送信してよい。その目的のため、システムは、登録手段で、ストリーミングビデオサーバでストリーミングビデオコンテンツを要求する移動端局の端局識別子によって誘導され、正しい（つまり、関連するコンテンツ要求側）宛て先端局の回線交換網ノードアドレスを検索する手段と、前記ゲートウェイによってストリーミングビットストリームに変換される前記ストリーミングビデオコンテンツを該検索された回線交換網ノードアドレスに送信する手段とを有してよい。
【０００７】
ゲートウェイと正しい宛て先端局の間で回線交換網を通した接続を――正しい端局アドレスの検索の後、及び正しい端局アドレスへのストリーミングコンテンツの送信の前に――セットアップするための２つのオプションがある。つまり、
−ゲートウェイは登録手段でノードアドレスが検索された端局への呼を発信してよい、
あるいは（正反対の方向で）
−端局はゲートウェイに呼を発信し、ゲートウェイは、（ノードアドレスに等しい）発呼側端局のＣＬＩを、登録手段で検索されたノードアドレスと突き合わせることにより、発信側端局が正しい端局であるかどうかを調査する。
【０００８】
【発明の実施の形態】
図１では、端局１は、基地局及び「無線網コントローラ」（ＲＮＣ）２を介して回線交換網（ＣＳＮ）３とパケット交換網（ＰＳＮ）４と接続可能である。パケット交換網４を介して、つまりインターネットゲートウェイ（ＩＧ）６を介して、端局１はインターネット５をブラウズできる。インターネット５内のストリーミングビデオサーバ９から移動端局１へのストリーミングビデオコンテンツの送信のために、ゲートウェイ７は一方の側で回線交換網３に、他方の側でインターネット５に接続される。ゲートウェイ７は、回線交換網を介して移動端局に送信されるのに適したフォーマットのストリーミングビデオビットストリームへの前記ストリーミングビデオサーバ９から受信されるインターネットで互換性のあるストリーミングビデオフォーマットのファイルの変換に適している。
【０００９】
移動端局１と（前記一方の側にある）ゲートウェイ７は、いままで電話対電話のテレビ会議のためだけに適用されてきたが、今度はゲートウェイ対電話の通信に適用されるプロトコルに準拠してビデオビットストリームを交換するのに適している。このテレビ電話関連プロトコルは、好ましくはＩＴＵ  Ｈ．３２４Ｍプロトコルである。
【００１０】
ゲートウェイ内での変換後に、回線交換網内のストリーミングファイルを、正しい端局またはノードアドレスに送るために、システムは、登録手段を具備し、この登録手段は、前記パケット交換網４を介して前記移動端局１と接続可能であり、更に、関連する移動端局ごとに、回線交換網での移動端局のノードアドレスにリンクされる端局識別子を登録する。図１では、登録手段は、インターネット選択サーバ８によって形成されてよい。選択サーバ８は、関連する発呼番号つまり端局の「発呼回線識別子」（ＣＬＩ）にリンクされ、回線交換網を介してそれらを呼び出すために有効である――ユーザまたは端局ごとの初期ユーザ／端局登録プロセスを介して――固有の端局識別子が記憶されるデータベース８ａを有する。大部分のケースでは、前記初期登録プロセスの間に、端局ユーザは、端局のキーパッドを介してその発呼番号を入力しなければならない。固有の端局識別子は、例えば端局のＳＩＭカードによって、あるいはゲートウェイ６によってなど端局自体によって、自動的に生成されてよい。登録プロセスの後は、インターネット内では、つまりストリーミングビデオサーバ９によって、固有の（ＣＬＩ以外の）端局識別子だけが使用される必要がある。
【００１１】
ストリーミングサーバ９でなんらかのビデオコンテンツを選択した後、このコンテンツは、正しい（要求側）端局、つまりコンテンツサーバ９により受信される関連する固有の端局識別子にリンクされる端局に送られなければならない。
【００１２】
選択サーバ８は、ストリーミングビデオコンテンツを要求する一方で、データベース８ａ内で、コンテンツサーバに送信される端局識別子の制御下にある正しい回線交換網ノードアドレス（ＣＬＩ）を検索する手段を有する。
【００１３】
サーバ９は、要求されたコンテンツを、インターネットと回線交換網３の間のゲートウェイ７にそれをダウンロードし、ダウンロードされたコンテンツに要求側端局１のＣＬＩで名前を付けることにより処理するだろう。ＣＬＩは過去には選択サーバ８で検索されていた。コンテンツのゲートウェイ７へのダウンロード中、あるいはダウンロード後、ゲートウェイ７と正しい宛て先端末１の間で、回線交換網３を介して接続をセットアップしなければならない。このような接続をセットアップするための２つのオプションがある。
【００１４】
第１のオプションでは、ゲートウェイ７は回線交換網を通して、そのノードアドレス（ＣＬＩ）が選択サーバ８で検索された（コンテンツストリームの「ＣＬＩラベル」から読み取られた）端局１に呼を発信し、後にその端局へ変換済みのコンテンツを送信する。
【００１５】
第２のオプションでは、端局１は呼をゲートウェイ７に発信し、ゲートウェイ７は、回線交換網を介して検出された発信側端局のＣＬＩを、（ビデオストリームの「ＣＬＩラベル」から検出される）選択サーバ８で検索されたようなＣＬＩと突き合わせることによって、発信側端局１が正しい宛て先端局であるかどうかを調査する。両方のＣＬＩが一致すると、ゲートウェイ７は発呼側端局１にコンテンツをダウンロード／ストリーミングする。
【００１６】
最後に、プロセスをステップごとに概略する。
【００１７】
ステップａ：Ｈ．３２４Ｍ機能を備えた移動端局１、及びサービスプロバイダまたは事業者のインターネットゲートウェイ６を介してインターネット上でブラウズする。
【００１８】
ステップｂ：サードパーティストリーミングサーバ９でＨ．３２４Ｍ電話向けのビデオＵＲＬを選択する。これはユーザによる支払いを必要としない無料ビデオサーバであってよい。
【００１９】
ステップｃ：リンクは、選択されたビデオ及び考えられる任意の種類の登録キー、例えば、ｈｔｔｐ：／／ｗｗｗ．ｍｙｓｈｏｔｓ．ｎＩ？ｍｏｖｉｅ＝ｈｔｔｐ：／／ｗｗｗｗ．ｃａｒｔｏｏｎｓ．ｎＩ／ｃａｒｔｏｏｎｓ／ｄｉｌｂｅｒｔ．ｗｍｖ＆ｋｅｙ＝１２４３ｗｄｆｔ６７を含むビデオポータルの選択サーバ８を指す。
【００２０】
ステップｄ：ＩＤ−ＣＬＩデータベース８ａで――初期の加入プロセスを介して――記憶されている固有のＩＤによって誘導される呼をセットアップするためにＨ．３２４Ｍゲートウェイ７を通知する。
【００２１】
ステップｅ：固有のＩＤを用いて、Ｈ．３２４Ｍゲートウェイ７は選択サーバ８から関連するＣＬＩを検索する。
【００２２】
ステップｆ：Ｈ．３２４Ｍゲートウェイ７は、検索されたＣＬＩとのＨ．３２４Ｍ接続を開始する。代替策として、関連する端局は、ＣＬＩ突き合わせによってゲートウェイ７により調査される呼を開始する。
【００２３】
ステップｇ：Ｈ．３２４Ｍゲートウェイ７は、ＵＲＬ（ｈｔｔｐ：／／ｗｗｗ．ｃａｒｔｏｏｎｓ．ｎＩ／ｃａｒｔｏｏｎｓ／ｄｉｂｅｒｔ．ｗｍｖ＆ｋｅｙ＝１２３４ｗｄｆｔ６７）を介してストリーミングサーバ９とのインターネット接続を行う。
【００２４】
ステップｈ：ストリーミングサーバ９は、Ｈ．３４２Ｍゲートウェイ７にコンテンツをストリーミングする。
【００２５】
ステップｉ：ゲートウェイ７は、Ｈ．３２４Ｍプロトコルに従ってコンテンツストリームを変換し、回線交換網３を介してそれを移動端局１に送信する。
【００２６】
【発明の効果】
本発明は、上述のように構成したので、インターネット内のストリーミングビデオサーバから移動端局へのストリーミングビデオコンテンツの送信のために、一方の側で回線交換網に接続され、他方の側でインターネットに接続される、前記インターネットストリーミングビデオサーバから受信されるインターネットで互換性のあるストリーミングビデオフォーマットのファイルを、回線交換網を介して移動端局に送信されるのに適したフォーマットのストリーミングビデオビットストリームに変換するのに適したゲートウェイを有する電気通信システムの実現を可能にした。
【図面の簡単な説明】
【図１】図１は好ましいシステムアーキテクチャを描く。
【符号の説明】
１  移動端局
２  無線網コントローラ（ＲＮＣ）
３  回線交換網（ＣＳＮ）
４  パケット交換網（ＰＳＮ）
５  インターネット
６  ゲートウェイ
７  ゲートウェイ
８  選択サーバ
８ａ  データベース
９  ストリーミングビデオサーバ
【図１】
0003914512.tif 000002